【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
シート材に衝撃を付与する衝撃付与部と、
該衝撃を受けるための衝撃受け部と、
前記衝撃付与部側又は前記衝撃受け部側の少なくとも一方に、
前記衝撃付与部により前記衝撃受け部が受けた衝撃により出力信号を出力する信号出力部と、
を備えた信号出力装置であって、
前記衝撃付与部で発生する衝撃力と、
前記信号出力部から出力される出力信号の増幅度との少なくとも一方を前記出力信号が所定の範囲内の値となるように補正する補正手段を有することを特徴とする信号出力装置。
【請求項２】
前記補正手段は、
識別すべきシート材が介在しない状態で衝撃を付与して得られた出力信号が所定の範囲外の値となる場合に、
衝撃力を調整するか、
前記出力信号を変更する補正手段であることを特徴とする請求項１記載の信号出力装置。
【請求項３】
前記衝撃付与部で発生する衝撃力の補正手段が、
該衝撃付与部と前記衝撃受け部との間にシート材が介在しない状態で、
前記衝撃付与部により前記衝撃受け部が受けた衝撃により前記信号出力部から出力される信号を用いて補正を行う補正手段を含むことを特徴とする請求項１又は請求項２いずれか１項記載の信号出力装置。
【請求項４】
前記衝撃付与部は衝撃付与部材を含み、前記衝撃付与部材の速度を補正することで衝撃力の補正を行うことを特徴とする請求項３記載の信号検出装置。
【請求項５】
前記衝撃付与部は衝撃付与部材を含み、前記衝撃付与部材の重さを補正することにより衝撃力の補正を行うことを特徴とする請求項３記載の信号検出装置。
【請求項６】
前記衝撃付与部は衝撃付与部材を含み、
衝撃を発生させる前の前記衝撃付与部材と前記衝撃受け材との距離を補正することで前記信号出力装置から出力される信号を補正することを特徴とする請求項３記載の信号出力装置。
【請求項７】
前記信号出力部からの信号を補正する手段が、
前記信号出力部からの信号を増幅、減衰、積分、微分から選択される少なくとも１つの機能を有する衝撃力補正部を含み、かつ前記衝撃力補正部の補正機能が可変であることであることを特徴とする請求項１乃至３いずれか１項記載の信号出力装置。
【請求項８】
前記衝撃付与部と前記衝撃受け部の間にシート材が介在しない状態で、
前記衝撃付与部により前記衝撃受け部が受けた衝撃により前記信号出力部から出力される信号が所定の値になるように前記衝撃力補正部で補正することを特徴とする請求項７記載の信号出力装置。
【請求項９】
前記衝撃付与部で発生する衝撃力と前記信号出力部から出力信号の一方、又は両方を補正しても、信号出力部からの信号が所定の値に補正されない時に、警告信号を出力する手段を有することを特徴とする請求項１乃至３いずれか１項記載の信号出力装置。
【請求項１０】
請求項１から９のいずれか１項に記載の信号出力装置、及びシート材に関する情報が記憶された記憶部とを備え、
前期信号出力装置からの出力信号と、前記記憶部の情報とを用いて、シート材を識別する機能を備えていることを特徴とするシート材識別装置。
【請求項１１】
請求項１から９のいずれか１項に記載の信号出力装置、シート材を搬送する搬送手段、及び前記シート材に画像を形成する画像形成手段を備えており、
前記信号出力装置からの信号に基づいて画像形成条件を制御することを特徴とする画像形成装置。
【請求項１２】
衝撃付与部によってシート材が介在する状態で衝撃受け部に所定の衝撃を付与する工程と、
衝撃受け部によって前記シート材に付与された衝撃を出力信号として出力する工程と、該出力信号と予め用意したシート材を識別するための情報とに基づいて前記シート材を識別する工程と、
を備えたシート材の識別方法であって、
前記衝撃付与部によってシート材に所定の衝撃を付与する工程の前に、
前記識別すべきシート材が介在しない状態で前記衝撃受け部に衝撃を付与して出力信号を得る工程と、
該出力信号が所定の範囲内の値となるように前記衝撃付与部で発生する衝撃力を調整する工程と、
を有することを特徴とするシート材識別方法。
【請求項１３】
衝撃付与部によってシート材が介在する状態で衝撃受け部に所定の衝撃を付与する工程と、
衝撃受け部によって前記シート材に付与された衝撃を出力信号として出力する工程と、該出力信号と予め用意したシート材を識別するための情報とに基づいて前記シート材を識別する工程と、
を備えたシート材の識別方法であって、
前記衝撃付与部によってシート材に所定の衝撃を付与する工程の前に、
前記識別すべきシート材が介在しない状態で前記衝撃受け部に衝撃を付与して出力信号を得る工程と、
該出力信号が所定の範囲内となるように前記信号出力部からの出力信号の増幅度を変更する処理を行う工程と、
を有することを特徴とするシート材識別方法。
【手続補正２】
【補正対象書類名】明細書
【補正対象項目名】００１９
【補正方法】変更
【補正の内容】
【００１９】
本発明の信号出力装置は、シート材に衝撃を付与する衝撃付与部と、
該衝撃を受けるための衝撃受け部と、
前記衝撃付与部側又は前記衝撃受け部側の少なくとも一方に、
前記衝撃付与部により前記衝撃受け部が受けた衝撃により出力信号を出力する信号出力部と、
を備えた信号出力装置であって、
前記衝撃付与部で発生する衝撃力と、
前記信号出力部から出力される出力信号の増幅度との少なくとも一方を前記出力信号が所定の範囲内の値となるように補正する補正手段を有することを特徴とするものである。
【手続補正３】
【補正対象書類名】明細書
【補正対象項目名】００２０
【補正方法】変更
【補正の内容】
【００２０】
また本発明のシート材識別装置は、前記信号出力装置、及びシート材に関する情報が記憶された記憶部とを備え、
前期信号出力装置からの出力信号と、前記記憶部の情報とを用いて、シート材を識別する機能を備えていることを特徴とするものである。
【手続補正４】
【補正対象書類名】明細書
【補正対象項目名】００２１
【補正方法】変更
【補正の内容】
【００２１】
また本発明の画像形成装置は、前記信号出力装置、シート材を搬送する搬送手段、及び前記シート材に画像を形成する画像形成手段を備えており、
前記信号出力装置からの信号に基づいて画像形成条件を制御することを特徴とするものである。
【手続補正５】
【補正対象書類名】明細書
【補正対象項目名】００２２
【補正方法】変更
【補正の内容】
【００２２】
また本発明のシート材識別方法は、衝撃付与部によってシート材が介在する状態で衝撃受け部に所定の衝撃を付与する工程と、
衝撃受け部によって前記シート材に付与された衝撃を出力信号として出力する工程と、該出力信号と予め用意したシート材を識別するための情報とに基づいて前記シート材を識別する工程と、
を備えたシート材の識別方法であって、
前記衝撃付与部によってシート材に所定の衝撃を付与する工程の前に、
前記識別すべきシート材が介在しない状態で前記衝撃受け部に衝撃を付与して出力信号を得る工程と、
該出力信号が所定の範囲内の値となるように前記衝撃付与部で発生する衝撃力を調整する工程と、
を有することを特徴とするものである。
【手続補正６】
【補正対象書類名】明細書
【補正対象項目名】００２３
【補正方法】変更
【補正の内容】
【００２３】
さらに本発明のシート材識別方法は、衝撃付与部によってシート材が介在する状態で衝撃受け部に所定の衝撃を付与する工程と、
衝撃受け部によって前記シート材に付与された衝撃を出力信号として出力する工程と、該出力信号と予め用意したシート材を識別するための情報とに基づいて前記シート材を識別する工程と、
を備えたシート材の識別方法であって、
前記衝撃付与部によってシート材に所定の衝撃を付与する工程の前に、
前記識別すべきシート材が介在しない状態で前記衝撃受け部に衝撃を付与して出力信号を得る工程と、
該出力信号が所定の範囲内となるように前記信号出力部からの出力信号の増幅度を変更する処理を行う工程と、
を有することを特徴とするものである。